(57)【要約】  時分割複信システムにおける上りチャンネルサウンディング基準信号の送信方法は、端末が上りチャンネルサウンディング基準信号SRSの関連のコンフィギュレーション情報により上りパイロットタイムスロットUpPTS内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅内の1つ目のサブキャリアのインデックスを確定することが必要であり、端末が当該上りパイロットタイムスロット内の１つのまたは複数のランダムアクセスチャンネル、即ち、PRACHチャンネルの周波数領域位置を結び付けて、前記インデックスを確定し、前記PRACHチャンネルがシステム帯域幅における下境界のサブキャリアを含む場合、システム帯域幅における上境界を最大のSRS帯域幅の終了位置とし、さらに最大のSRS帯域幅の開始位置を計算し、前記PRACHチャンネルがシステム帯域幅における上境界のサブキャリアを含む場合、システム帯域幅における下境界を最大のSRS帯域幅の開始位置とし、その後、最大のSRS帯域幅の開始位置と当該端末に配置されたバイアスパラメーターを加算して前記インデックスを確定することができる。本発明の方法により得られたUpPTS内の最大のSRS帯域幅の送信位置はUpPTS信号がPRACHチャンネルと干渉を生じなく、そしてもっと多い帯域幅がチャンネル計測の機会を得るようにすることができる。
2011519196.tif 000002
【特許請求の範囲】
【請求項１】
端末が上りチャンネルサウンディング基準信号（SRS信号）の関連のコンフィギュレーション情報により、上りパイロットタイムスロット（UpPTS）内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅内の1つ目のサブキャリアのインデックスを確定することが必要な時分割複信システムにおける上りチャンネルサウンディング基準信号の送信方法であって、
端末が当該上りパイロットタイムスロット内の１つのまたは複数のランダムアクセスチャンネル、即ち、PRACHチャンネルの周波数領域位置を結び付けて、前記インデックスを確定し、前記PRACHチャンネルがシステム帯域幅における下境界のサブキャリアを含む場合、システム帯域幅における上境界を最大のSRS帯域幅の終了位置とし、さらに最大のSRS帯域幅の開始位置を計算し、前記PRACHチャンネルがシステム帯域幅における上境界のサブキャリアを含む場合、システム帯域幅における下境界を最大のSRS帯域幅の開始位置とし、その後、最大のSRS帯域幅の開始位置と当該端末に配置されたバイアスパラメーターを加算して前記インデックスを確定することができる
上りチャンネルサウンディング基準信号の送信方法。
【請求項２】
端末が上りチャンネルサウンディング基準信号（SRS信号）の関連のコンフィギュレーション情報により、上りパイロットタイムスロット（UpPTS）内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅ｍＳＲＳ内の1つ目のサブキャリアのインデックスｋ０を確定することが必要な時分割複信システムにおける上りチャンネルサウンディング参照信号の送信方法であって、
前記端末が以下の数式により前記インデックスｋ０を計算し、
【数７２】
2011519196.tif 000082
その中には、
【数７３】
2011519196.tif 000083
が上りシステム帯域幅が対応するRB数であり、ｍＳＲＳが最大のSRS帯域幅が対応する資源ブロックの数であり、
【数７４】
2011519196.tif 000084
が１つの資源ブロックが周波数領域に含んだサブキャリアの数であり、ｋＴＣ∈｛０，１｝が当該端末に配置されたバイアスパラメーターであり、ｎｆが前記UpPTSの所在の無線フレームのシステムフレーム番号であり、ＮＳＰが１つの無線フレームにおける下りから上りまでの切替点の数であり、前記UpPTSが、無線フレームの1つ目のハーフフレームの場合、
【数７５】
2011519196.tif 000085
であり、前記UpPTSが、無線フレームの２つ目のハーフフレームの場合、
【数７６】
2011519196.tif 000086
である
上りチャンネルサウンディング参照信号の送信方法。
【請求項３】
前記端末が以下の３つの方式のいずれかの1つにより前記最大のSRS帯域幅ｍＳＲＳを計算し、
第1種には、前記端末が以下の数式により前記最大のSRS帯域幅ｍＳＲＳを計算し、
【数７７】
2011519196.tif 000087
その中には、ＮＲＡがUpPTS上のランダムアクセスチャンネル、即ちPRACHチャンネルの数であり、α２，α３，α５が非負整数であり、ｍＳＲＳ，０がα２，α３，α５を選択することにより新たに計算した一層目のSRS帯域幅であり、ｍＳＲＳが
【数７８】
2011519196.tif 000088
よりも以下を満足する下、α２，α３，α５を選択することにより得られた最大のSRS帯域幅であり、ＮＲＡが前記UpPTSに含まれるPRACHチャンネルの数であり、
第2種には、前記端末が数式
【数７９】
2011519196.tif 000089
により前記最大のSRS帯域幅ｍＳＲＳを計算し、その中、ＮＲＡがUpPTS上のランダムアクセスチャンネル、即ちPRACHチャンネルの数であり、
第3種には、前記端末がSRS帯域幅コンフィギュレーションの対応のツリー構造における一層目のSRS帯域幅ｍＳＲＳ，０を前記最大のSRS帯域幅ｍＳＲＳとする
請求項２に記載の送信方法。
【請求項４】
前記端末がそれに配置されたSRS帯域幅がSRS帯域幅コンフィギュレーションツリー構造における一層目に位置する場合、前記第１種または第２種の方式を用いて前記最大のSRS帯域幅ｍＳＲＳを計算し、それに配置されたSRS帯域幅がSRS帯域幅コンフィギュレーションツリー構造における一層目に位置しない場合、前記第３種の方式を用いて前記最大のSRS帯域幅ｍＳＲＳを計算する
請求項３に記載の送信方法。
【請求項５】
端末が上りチャンネルサウンディング基準信号（SRS信号）の関連のコンフィギュレーション情報により上りパイロットタイムスロット（UpPTS）内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅内1つ目のサブキャリアのインデックスを確定することが必要な時分割複信システムにおける上りチャンネルサウンディング基準信号の送信方法であって、
端末が当該上りパイロットタイムスロット内の１つのまたは複数のランダムアクセスチャンネル、即ち、PRACHチャンネルの周波数領域位置を結び付けて、前記インデックスを確定し、まず最大のSRS帯域幅を上りシステム帯域幅からPRACHチャンネルの占めた周波帯を差し引いた残りの周波帯の間に定位して、さらに最大のSRS帯域幅の開始位置を計算し、次に最大のSRS帯域幅の開始位置と当該端末に配置されたバイアスパラメーターとを加算して、前記インデックスを確定することができる
上りチャンネルサウンディング参照信号の送信方法。
【請求項６】
端末が上りチャンネルサウンディング基準信号（SRS信号）の関連のコンフィギュレーション情報により、上りパイロットタイムスロット（UpPTS）内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅ｍＳＲＳ内の1つ目のサブキャリアのインデックスｋ０を確定することが必要な時分割複信システムにおける上りチャンネルサウンディング基準信号の送信方法であって、
前記端末が以下の数式により前記インデックスｋ０を計算し、
【数８０】
2011519196.tif 000090
その中には、
【数８１】
2011519196.tif 000091
が上りシステム帯域幅が対応するRB数であり、ｍＳＲＳが最大のSRS帯域幅が対応する資源ブロックの数であり、ＮＲＡが前記UpPTSに含まれるPRACHチャンネルの数であり、
【数８２】
2011519196.tif 000092
が１つの資源ブロックが周波数領域に含んだサブキャリアの数であり、ｋＴＣ∈｛０，１｝が当該端末に配置されたバイアスパラメーターであり、ｎｆが前記UpPTSの所在の無線フレームのシステムフレーム番号であり、ＮＳＰが１つの無線フレームにおける下りから上りまでの切替点の数であり、前記UpPTSが、無線フレームの1つ目のハーフフレームの場合、
【数８３】
2011519196.tif 000093
であり、前記UpPTSが、無線フレームの２つ目のハーフフレームの場合、
【数８４】
2011519196.tif 000094
である
上りチャンネルサウンディング参照信号の送信方法。
【請求項７】
前記端末が以下の３つの方式のいずれかの1つにより前記最大のSRS帯域幅ｍＳＲＳを計算し、
第1種には、前記端末が以下の数式により前記最大のSRS帯域幅ｍＳＲＳを計算し、
【数８５】
2011519196.tif 000095
その中には、ＮＲＡがUpPTS上のランダムアクセスチャンネル、即ちPRACHチャンネルの数であり、α２，α３，α５が非負整数であり、ｍＳＲＳ，０がα２，α３，α５を選択することにより新たに計算した一層目のSRS帯域幅であり、ｍＳＲＳが
【数８６】
2011519196.tif 000096
よりも以下を満足する下、α２，α３，α５を選択することにより得られた最大のSRS帯域幅であり、ＮＲＡが前記UpPTSに含まれるPRACHチャンネルの数であり、
第2種には、前記端末が数式
【数８７】
2011519196.tif 000097
により前記最大のSRS帯域幅ｍＳＲＳを計算し、ＮＲＡがUpPTS上のランダムアクセスチャンネル、即ちPRACHチャンネルの数であり、
第3種には、前記端末がSRS帯域幅コンフィギュレーションの対応のツリー構造における一層目のSRS帯域幅ｍＳＲＳ，０を前記最大のSRS帯域幅ｍＳＲＳとする
請求項６に記載の送信方法。
【請求項８】
前記端末がそれに配置されたSRS帯域幅がSRS帯域幅コンフィギュレーションツリー構造における一層目に位置する場合、前記第１種または第２種の方式を用いて前記最大のSRS帯域幅ｍＳＲＳを計算し、それに配置されたSRS帯域幅がSRS帯域幅コンフィギュレーションツリー構造における一層目に位置しない場合、前記第３種の方式を用いて前記最大のSRS帯域幅ｍＳＲＳを計算する
請求項７に記載の送信方法。
【請求項９】
端末が上りチャンネルサウンディング基準信号（SRS信号）の関連のコンフィギュレーション情報により上りパイロットタイムスロット（UpPTS）内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅内1つ目のサブキャリアのインデックスを確定することが必要な時分割複信システムにおける上りチャンネルサウンディング基準信号の送信方法であって、
端末が当該上りパイロットタイムスロット内の１つのまたは複数のランダムアクセスチャンネル、即ち、PRACHチャンネルの周波数領域位置を結び付けて、前記インデックスを確定し、前記PRACHチャンネルがシステム帯域幅における下境界のサブキャリアを含む場合、前記PRACHチャンネルの後の1つ目のサブキャリアを最大のSRS帯域幅の開始位置とし、前記PRACHチャンネルがシステム帯域幅における上境界のサブキャリアを含む場合、システム帯域幅における下境界を最大のSRS帯域幅の開始位置とし、その後、最大のSRS帯域幅の開始位置と当該端末に配置されたバイアスパラメーターを加算して前記インデックスを確定することができる
上りチャンネルサウンディング参照信号の送信方法。
【請求項１０】
端末が上りチャンネルサウンディング基準信号（SRS信号）の関連のコンフィギュレーション情報により、上りパイロットタイムスロット（UpPTS）内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅ｍＳＲＳ内の1つ目のサブキャリアのインデックスｋ０を確定することが必要な時分割複信システムにおける上りチャンネルサウンディング基準信号の送信方法であって、
前記端末が以下の数式により前記インデックスｋ０を計算し、
【数８８】
2011519196.tif 000098
その中には、ＮＲＡが前記UpPTSに含まれるPRACHチャンネルの数；
【数８９】
2011519196.tif 000099
が１つの資源ブロックが周波数領域に含んだサブキャリアの数であり、ｋＴＣ∈｛０，１｝が当該端末に配置されたバイアスパラメーターであり、ｎｆが前記UpPTSの所在の無線フレームのシステムフレーム番号であり、ＮＳＰが１つの無線フレームにおける下りから上りまでの切替点の数であり、前記UpPTSが、無線フレームの1つ目のハーフフレームの場合、
【数９０】
2011519196.tif 000100
であり、前記UpPTSが、無線フレームの２つ目のハーフフレームの場合、
【数９１】
2011519196.tif 000101
である
上りチャンネルサウンディング参照信号の送信方法。
【請求項１１】
前記端末が以下の３つの方式のいずれかの1つにより前記最大のSRS帯域幅ｍＳＲＳを計算し、
第1種には、前記端末が以下の数式により前記最大のSRS帯域幅ｍＳＲＳを計算し、
【数９２】
2011519196.tif 000102
その中には、ＮＲＡがUpPTS上のランダムアクセスチャンネル、即ちPRACHチャンネルの数であり、α２，α３，α５が非負整数であり、ｍＳＲＳ，０がα２，α３，α５を選択することにより新たに計算した一層目のSRS帯域幅であり、ｍＳＲＳが
【数９３】
2011519196.tif 000103
よりも以下を満足する下、α２，α３，α５を選択することにより得られた最大のSRS帯域幅であり、ＮＲＡが前記UpPTSに含まれるPRACHチャンネルの数であり、
第2種には、前記端末が数式
【数９４】
2011519196.tif 000104
により前記最大のSRS帯域幅ｍＳＲＳを計算し、ＮＲＡがUpPTS上のランダムアクセスチャンネル、即ちPRACHチャンネルの数であり、
第3種には、前記端末がSRS帯域幅コンフィギュレーションの対応のツリー構造における一層目のSRS帯域幅ｍＳＲＳ，０を前記最大のSRS帯域幅ｍＳＲＳとする
請求項１０に記載の送信方法。
【請求項１２】
前記端末がそれに配置されたSRS帯域幅がSRS帯域幅コンフィギュレーションツリー構造における一層目に位置する場合、前記第１種または第２種の方式を用いて前記最大のSRS帯域幅ｍＳＲＳを計算し、それに配置されたSRS帯域幅がSRS帯域幅コンフィギュレーションツリー構造における一層目に位置しない場合、前記第３種の方式を用いて前記最大のSRS帯域幅ｍＳＲＳを計算する
請求項１１に記載の送信方法。
【発明の詳細な説明】
【技術分野】
【０００１】
本発明は時分割複信（TDD）システムに関し、具体的に、TDDシステムにおける上りチャンネルサウンディング基準信号（Sounding Reference Signal、略称SRS）の送信方法に関する。
【背景技術】
【０００２】
LTE（Long Term Evolution）システムにおけるTDD（Time Division Duplex、時分割複信）モードのフレーム構造（第２種類フレーム構造とも称される、即ちframe structure type 2）は図１に示すようなものである。このようなフレーム構造には、1つの10ms（307200Ts、1ms=30720Ts）の無線フレームが２つの長さの５ms（153600Ts）のハーフフレームに分けられる。ハーフフレームごとに5つの長さの１msのサブフレームが含まれる。各サブフレームの作用が表１に示すようなものである。その中には、Dは下り信号を伝送するための下りサブフレームを示す。Uは上り信号を伝送するための上りサブフレームを示す。また、1つの上り/下りサブフレームがまた2つの0.5msのタイムスロットに分けられる。Sは特殊なサブフレームを示し、DwPTS（Downlink Pilot Time Slot、下りパイロットタイムスロット）、GP（Guard Period、ガードピリオド）及びUpPTS（Uplink Pilot Time Slot、上りパイロットタイムスロット）という3つの特殊なタイムスロットが含まれる。実際のシステムにおいては、上り、下りコンフィギュレーションインデックスが放送メッセージにより携帯電話に通知される。
【０００３】
【表１】
2011519196.tif 000003
【０００４】
LTEシステム物理ランダムアクセスチャネル（PRACH、Physical Random Access Channel、またはランダムアクセス機会と言われ、即ち、random access opportunity）の構造は図２に示すようなものである。preamble（プリアンブル）がCPとSequenceとの２つの部分から構成され、異なるpreamble format（プリアンブルフォーマット）が異なるCP及び/またはSequenceの長さを意味する。現在、LTEシステムTDDモードがサポートするpreamble formatの種類は表２に示すようなものである。
【０００５】
【表２】
2011519196.tif 000004
【０００６】
上記のプリアンブルフォーマットのうち、preamble format 0〜3が普通の上りサブフレームにおいて伝送され、preamble format 4がUpPTSにおいて伝送される。
【０００７】
preamble format 0が1つの普通の上りサブフレームにおいて伝送され、
preamble format 1、2が2つの普通の上りサブフレームにおいて伝送され、
preamble format 3が3つの普通の上りサブフレームにおいて伝送され、
preamble format 4がUpPTSにおいて伝送される（送信開始位置はUpPTSの末尾より5158Ts前の位置である）。
【０００８】
LTEシステムにおける資源割り当てはRB（Resource Block）を単位とし、１つのRBが周波数領域で12個のREを占め、時間領域で１つのタイムスロットを占め、即ち7つ（普通なCP、Normal cyclic prefix）または6つの（拡張CP、Extended cyclic prefix）SC-OFDM符号を占める。上りシステム帯域幅が周波数領域で対応するRB総数を
【０００９】
【数１】
2011519196.tif 000005
【００１０】
とすると、RBのインデックスは
【００１１】
【数２】
2011519196.tif 000006
【００１２】
であり、サブキャリア（またはREと称される、即ちResource Element）のインデックスは
【００１３】
【数３】
2011519196.tif 000007
【００１４】
であり、
【００１５】
【数４】
2011519196.tif 000008
【００１６】
が１つのRBが周波数領域で対応するサブキャリアの数である。
【００１７】
周波数領域において、１つのPRACHチャンネルは6つのRBが対応する帯域幅、即ち72個のRE（Resource Element）を占め、各REの帯域幅が15kHzである。時間領域位置が同じのPRACHチャンネルは周波数領域により区分される。
【００１８】
TDDシステムの上りパイロットタイムスロットは上りチャンネルサウンディング基準信号（Sounding Reference Signal、SRS）とプリアンブルフォーマットが4であるPRACHチャンネルとを送信することに用いることができる。
【００１９】
UpPTS内に送信されるPRACHチャンネルの周波数領域マッピングは交互する片側マッピング方法を用い、即ち、或るUpPTS内に低周波帯から高周波帯へマッピングし、隣接するUpPTS内に高周波帯から低周波帯へマッピングし、マッピング数式は以下のように表すことができる。
【００２０】
【数５】
2011519196.tif 000009
【００２１】
その中には、
【００２２】
【数６】
2011519196.tif 000010
【００２３】
がPRACHチャンネルの1つ目のRBのインデックスを示し、
【００２４】
【数７】
2011519196.tif 000011
【００２５】
がPRACHチャンネルの周波数領域の初期位置であり、
【００２６】
【数８】
2011519196.tif 000012
【００２７】
が上りシステム帯域幅コンフィギュレーションが対応する全体のRB数であり、ｆＲＡが同じ時間領域位置のPRACHチャンネルの周波数領域インデックスであり、ｎｆが無線フレーム番号であり、ＮＳＰが１つの10ms無線フレームにおける下りから上りまでの切替点の数である。
【００２８】
【数９】
2011519196.tif 000013
【００２９】
が１つの無線フレームの1つ目と2つ目のハーフフレーム内に割り当てることをそれぞれに示す。１つのUpPTS上に周波数領域で連続する複数のPRACHチャンネルがあるかもしれない。
【００３０】
SRS信号の帯域幅はツリー構造を用いて配置される。各SRS帯域幅コンフィギュレーション（即ちSRS bandwidth configuration）は１つのツリー構造をそれぞれに対応し、最高層のSRS帯域幅（SRS-Bandwidth）がこのようなSRS帯域幅コンフィギュレーションの最大の帯域幅に対応した。表3〜表6は異なる上り帯域幅範囲内のSRS帯域幅コンフィギュレーションを示した。ｍＳＲＳ，ｂはツリー構造におけるインデックスがｂである層のSRS帯域幅がいくらのRBに対応する帯域幅であるかを示し、Ｎｂはツリー構造におけるインデックスがｂ−１である層のノードがインデックスがｂである層に含んだ分岐ノードの数を示し、ｂ＝０はツリー構造における一層目即ち最高層に対応し、ｍＳＲＳ，０は、つまり、当該コンフィギュレーションのもとでの最大のSRS帯域幅である。N/Aは当該層が相応する分岐ノードがないことを示す。
【００３１】
表3におけるSRS帯域幅コンフィギュレーション1を例としては、ｂ＝０が一層目であり、この層に対応するSRS帯域幅が32個のRBに対応する帯域幅であり、このようなSRS帯域幅コンフィギュレーションの最大のSRS帯域幅であり、ｂ＝１が二層目であり、この層のSRS帯域幅が16個のRBに対応する帯域幅であり、且つ前の層の１つのSRS帯域幅が2つの二層目のSRS帯域幅に分けられ、ｂ＝２が三層目であり、この層のSRS帯域幅が8つのRBに対応する帯域幅であり、且つ前の層の１つのSRS帯域幅が2つの三層目のSRS帯域幅に分けられ、ｂ＝３が四層目であり、この層のSRS帯域幅が4つのRBに対応する帯域幅であり、且つ前の層の１つのSRS帯域幅が2つの四層目のSRS帯域幅に分けられる。
【００３２】
また、図４に示すように、同じSRS周波帯でSRS信号のサブキャリアは間隔に置かれ、このような櫛状構造はもっと多いユーザーが同一のSRS帯域幅にSRS信号を送信することを許容する。
【００３３】
【表３】
2011519196.tif 000014
【００３４】
【表４】
2011519196.tif 000015
【００３５】
【表５】
2011519196.tif 000016
【００３６】
【表６】
2011519196.tif 000017
【００３７】
UpPTSにおいて、最大のSRS帯域幅を用いてSRS信号を送信する場合、最大のSRS帯域幅
【００３８】
【数１０】
2011519196.tif 000018
【００３９】
は以下の数式を用いて計算してもよい（即ち、表３〜表６におけるb = 0が対応するSRS帯域幅を用いなくてもよい）。
【００４０】
【数１１】
2011519196.tif 000019
【００４１】
その中には、
【００４２】
【数１２】
2011519196.tif 000020
【００４３】
が上りシステム帯域幅が対応するRB数であり、ＮＲＡがUpPTSにおけるPRACHチャンネルの数であり、α２，α３，α５が非負整数である。当該数式は、α２，α３，α５の取得値を選択することで、
【００４４】
【数１３】
2011519196.tif 000021
【００４５】
を満足する最大のSRS帯域幅を求めることを意味する。
【発明の概要】
【発明が解決しようとする課題】
【００４６】
SRS信号を送信する場合、ツリー構造の各層内のSRS帯域幅は最大のSRS帯域幅の周波帯の範囲内にあり、最大のSRS帯域幅内において各層内のSRS帯域幅が配置されている相対位置は、変更可能である。したがって、UpPTS内のSRS信号がPRACHチャンネルと干渉を生じないように、そしてより広い帯域幅がチャンネル計測の機会を得るように、UpPTS内のSRS信号の最大の帯域幅の周波数領域位置を合理的に配置することが必要である。
【００４７】
本発明が解決しようとする技術課題はTDDシステムにおける上りチャンネルサウンディング基準信号の送信方法を提供することである。この方法により得られたUpPTS内の最大のSRS帯域幅の送信位置を用いると、UpPTS信号とPRACHチャンネルとの干渉を避けることができ、より広い帯域幅がチャンネル計測の機会を得るようにすることができる。
【課題を解決するための手段】
【００４８】
上記の技術課題を解決するために、本発明は時分割複信システムにおける上りチャンネルサウンディング基準信号の送信方法を提供することにあり、端末が上りチャンネルサウンディング基準信号SRSの関連のコンフィギュレーション情報により上りパイロットタイムスロットUpPTS内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅内の1つ目のサブキャリアのインデックスを確定することが必要であり、
その特徴は、
端末が当該上りパイロットタイムスロット内の１つのまたは複数のランダムアクセスチャンネル、即ち、PRACHチャンネルの周波数領域位置を結び付けて、前記インデックスを確定し、前記PRACHチャンネルがシステム帯域幅における下境界のサブキャリアを含む場合、システム帯域幅における上境界を最大のSRS帯域幅の終了位置とし、さらに最大のSRS帯域幅の開始位置を計算し、前記PRACHチャンネルがシステム帯域幅における上境界のサブキャリアを含む場合、システム帯域幅における下境界を最大のSRS帯域幅の開始位置とし、その後、最大のSRS帯域幅の開始位置と当該端末に配置されたバイアスパラメーターを加算して前記インデックスを確定することができる。
【００４９】
さらに、上記の技術課題を解決するために、本発明は時分割複信システムにおける上りチャンネルサウンディング基準信号の送信方法を提供することにあり、端末が上りチャンネルサウンディング基準信号SRSの関連のコンフィギュレーション情報により、上りパイロットタイムスロットUpPTS内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅ｍＳＲＳ内の1つ目のサブキャリアのインデックスｋ０を確定することが必要であり、
その特徴は、
前記端末が以下の数式により前記インデックスｋ０を計算し、
【００５０】
【数１４】
2011519196.tif 000022
【００５１】
その中には、
【００５２】
【数１５】
2011519196.tif 000023
【００５３】
が上りシステム帯域幅が対応するRB数であり、ｍＳＲＳが最大のSRS帯域幅が対応する資源ブロックの数であり、
【００５４】
【数１６】
2011519196.tif 000024
【００５５】
が１つの資源ブロックが周波数領域に含んだサブキャリアの数であり、ｋＴＣ∈｛０，１｝が当該端末に配置されたバイアスパラメーターであり、ｎｆが前記UpPTSの所在の無線フレームのシステムフレーム番号であり、ＮＳＰが１つの無線フレームにおける下りから上りまでの切替点の数であり、前記UpPTSが、無線フレームの1つ目のハーフフレームの場合、
【００５６】
【数１７】
2011519196.tif 000025
【００５７】
であり、前記UpPTSが、無線フレームの２つ目のハーフフレームの場合、
【００５８】
【数１８】
2011519196.tif 000026
【００５９】
である。
【００６０】
さらに、上記の技術課題を解決するために、本発明は時分割複信システムにおける上りチャンネルサウンディング基準信号の送信方法を提供することにあり、端末が上りチャンネルサウンディング基準信号SRSの関連のコンフィギュレーション情報により上りパイロットタイムスロットUpPTS内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅内の1つ目のサブキャリアのインデックスを確定することが必要であり、
その特徴は、
端末が当該上りパイロットタイムスロット内の１つのまたは複数のランダムアクセスチャンネル、即ち、PRACHチャンネルの周波数領域位置を結び付けて、前記インデックスを確定し、まず最大のSRS帯域幅を上りシステム帯域幅からPRACHチャンネルの占めた周波帯を差し引いた残りの周波帯の間に定位して、さらに最大のSRS帯域幅の開始位置を計算し、次に最大のSRS帯域幅の開始位置と当該端末に配置されたバイアスパラメーターとを加算して、前記インデックスを確定することができる。
【００６１】
さらに、上記の技術課題を解決するために、本発明は時分割複信システムにおける上りチャンネルサウンディング基準信号の送信方法を提供することにあり、端末が上りチャンネルサウンディング基準信号SRSの関連のコンフィギュレーション情報により、上りパイロットタイムスロットUpPTS内でSRS信号を送信するための資源の、当該資源の周波数領域初期位置を含むパラメーターを計算して、その後、当該資源上に前記SRS信号を送信し、当該資源の周波数領域初期位置を計算するときに最大のSRS帯域幅ｍＳＲＳ内の1つ目のサブキャリアのインデックスｋ０を確定することが必要であり、
その特徴は、
前記端末が以下の数式により前記インデックスｋ０を計算し、
【００６２】
【数１９】
2011519196.tif 000027
【００６３】
その中には、
【００６４】
【数２０】
2011519196.tif 000028
【００６５】
が上りシステム帯域幅が対応するRB数であり、ｍＳＲＳが最大のSRS帯域幅が対応する資源ブロックの数であり、ＮＲＡが前記UpPTSに含まれるPRACHチャンネルの数であり、
【００６６】
【数２１】
2011519196.tif 000029
【００６７】
が１つの資源ブロックが周波数領域に含んだサブキャリアの数であり、ｋＴＣ∈｛０，１｝が当該端末に配置されたバイアスパラメーターであり、ｎｆが前記UpPTSの所在の無線フレームのシステムフレーム番号であり、ＮＳＰが１つの無線フレームにおける下りから上りまでの切替点の数であり、前記UpPTSが、無線フレームの1つ目のハーフフレームの場合、
【００６８】
【数２２】
2011519196.tif 000030
【００６９】
であり、前記UpPTSが、無線フレームの２つ目のハーフフレームの場合、
【００７０】
【数２３】
2011519196.tif 000031
【００７１】
である。
【００７２】
さらに、上記の技術課題を解決するために、本発明は時分割複信システムにおける上りチャンネルサウンディング基準信号の送信方法を提供することにあり、端末がサウンディング基準信号SRSの関連のコンフィギュレーション情報により上りパイロットタイムスロットUpPTS内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅内1つ目のサブキャリアのインデックスを確定することが必要であり、
その特徴は、
端末が当該上りパイロットタイムスロット内の１つのまたは複数のランダムアクセスチャンネル、即ち、PRACHチャンネルの周波数領域位置を結び付けて、前記インデックスを確定し、前記PRACHチャンネルがシステム帯域幅における下境界のサブキャリアを含む場合、前記PRACHチャンネルの後の1つ目のサブキャリアを最大のSRS帯域幅の開始位置とし、前記PRACHチャンネルがシステム帯域幅における上境界のサブキャリアを含む場合、システム帯域幅における下境界を最大のSRS帯域幅の開始位置とし、その後、最大のSRS帯域幅の開始位置と当該端末に配置されたバイアスパラメーターを加算して前記インデックスを確定することができる。
【００７３】
さらに、上記の技術課題を解決するために、本発明は時分割複信システムにおける上りチャンネルサウンディング基準信号の送信方法を提供することにあり、端末がサウンディング基準信号SRSの関連のコンフィギュレーション情報により、上りパイロットタイムスロットUpPTS内でSRS信号を送信するための資源の、当該資源の周波数領域初期位置を含むパラメーターを計算して、その後、当該資源上に前記SRS信号を送信し、その中、当該資源の周波数領域初期位置を計算するときに最大のSRS帯域幅ｍＳＲＳ内の1つ目のサブキャリアのインデックスｋ０を確定することが必要であり、
その特徴は、
前記端末が以下の数式により前記インデックスｋ０を計算し、
【００７４】
【数２４】
2011519196.tif 000032
【００７５】
その中には、ＮＲＡが前記UpPTSに含まれるPRACHチャンネルの数であり、
【００７６】
【数２５】
2011519196.tif 000033
【００７７】
が１つの資源ブロックが周波数領域にんだサブキャリアの数であり、ｋＴＣ∈｛０，１｝が当該端末に配置されたバイアスパラメーターであり、ｎｆが前記UpPTSの所在の無線フレームのシステムフレーム番号であり、ＮＳＰが１つの無線フレームにおける下りから上りまでの切替点の数であり、前記UpPTSが、無線フレームの1つ目のハーフフレームの場合、
【００７８】
【数２６】
2011519196.tif 000034
【００７９】
であり、前記UpPTSが、無線フレームの２つ目のハーフフレームの場合、
【００８０】
【数２７】
2011519196.tif 000035
【００８１】
である。
【００８２】
更に、上記の種々の送信方法において、前記端末は以下の３つの方式のいずれかの１つにより前記最大のSRS帯域幅ｍＳＲＳを計算することができる。
【００８３】
第1種には、前記端末が以下の数式により前記最大のSRS帯域幅ｍＳＲＳを計算し、
【００８４】
【数２８】
2011519196.tif 000036
【００８５】
その中には、ＮＲＡがUpPTS上のランダムアクセスチャンネル、即ちPRACHチャンネルの数であり、α２，α３，α５が非負整数であり、ｍＳＲＳ，０がα２，α３，α５を選択することにより新たに計算した一層目のSRS帯域幅であり、ｍＳＲＳが
【００８６】
【数２９】
2011519196.tif 000037
【００８７】
よりも以下を満足する下、α２，α３，α５を選択することにより得られた最大のSRS帯域幅であり、ＮＲＡが前記UpPTSに含まれるPRACHチャンネルの数であり、
第2種には、前記端末が数式
【００８８】
【数３０】
2011519196.tif 000038
【００８９】
により前記最大のSRS帯域幅ｍＳＲＳを計算し、その中、ＮＲＡがUpPTS上のランダムアクセスチャンネル、即ちPRACHチャンネルの数であり、
第3種には、前記端末がSRS帯域幅コンフィギュレーションの対応のツリー構造における一層目のSRS帯域幅ｍＳＲＳ，０を前記最大のSRS帯域幅ｍＳＲＳとする。
【００９０】
更に、前記端末がそれに配置されたSRS帯域幅がSRS帯域幅コンフィギュレーションツリー構造における一層目に位置する場合、前記第1種または第2種の方式を用いて前記最大のSRS帯域幅ｍＳＲＳを計算し、それに配置されたSRS帯域幅がSRS帯域幅コンフィギュレーションツリー構造における一層目に位置しない場合、前記第3種の方式を用いて前記最大のSRS帯域幅ｍＳＲＳを計算することができる。
【発明の効果】
【００９１】
本発明により得られたUpPTS内の最大のSRS帯域幅の送信位置はUpPTS信号がPRACHチャンネルと干渉を生じないようにすることができる。更に、PRACHチャンネルが異なる場所に位置する場合、SRS信号が用いる帯域幅は周波数領域で比較的に広い配布するので、もっと多い帯域幅はチャンネル計測の機会を得るようにすることができる。
【図面の簡単な説明】
【００９２】
ここで説明する添付図面は本発明を更に説明する用であり、本発明の一部を構成し、本発明の好適な実施例及びその説明は本発明を解釈する用であり、本発明に対する不当な限定を構成しない。
【図１】LTEシステムTDDモードのフレーム構造を示す図である。
【図２】PRACHチャンネル構造を示す図である。
【図３】SRS帯域幅のツリー構造を示す図である。
【図４】SRS信号の櫛状構造を示す図である。
【図５Ａ】本発明に係る適用例一におけるPRACHチャンネルがシステム帯域幅内に高周波帯から低周波帯へマッピングする時、SRS最大の帯域幅開始位置を示す図である。
【図５Ｂ】本発明に係る適用例一におけるPRACHチャンネルがシステム帯域幅内に低周波帯から高周波帯へマッピングする時、SRS最大の帯域幅開始位置を示す図である。
【図６Ａ】本発明に係る適用例二おけるPRACHチャンネルがシステム帯域幅内に高周波帯から低周波帯へマッピングする時、SRS最大の帯域幅開始位置を示す図である。
【図６Ｂ】本発明に係る適用例二におけるPRACHチャンネルがシステム帯域幅内に低周波帯から高周波帯へマッピングする時、SRS最大の帯域幅開始位置を示す図である。
【図７Ａ】本発明に係る適用例三におけるPRACHチャンネルがシステム帯域幅内に高周波帯から低周波帯へマッピングする時、SRS最大の帯域幅開始位置を示す図である。
【図７Ｂ】本発明に係る適用例三におけるPRACHチャンネルがシステム帯域幅内に低周波帯から高周波帯へマッピングする時、SRS最大の帯域幅開始位置を示す図である。
【図８Ａ】本発明に係る適用例四におけるPRACHチャンネルがシステム帯域幅内に高低周波帯から低周波帯へマッピングする時、SRS最大の帯域幅開始位置を示す図である。
【図８Ｂ】本発明に係る適用例四におけるPRACHチャンネルがシステム帯域幅内に低周波帯から高周波帯へマッピングする時、SRS最大の帯域幅開始位置を示す図である。
【図９Ａ】本発明に係る適用例五におけるPRACHチャンネルがシステム帯域幅内に高低周波帯から低周波帯へマッピングする時、SRS最大の帯域幅開始位置を示す図である。
【図９Ｂ】本発明に係る適用例五におけるPRACHチャンネルがシステム帯域幅内に低周波帯から高周波帯へマッピングする時、SRS最大の帯域幅開始位置を示す図である。
【００９３】
上記の図４及びその後の添付図面において、
2011519196.tif 000039
【００９４】
はｋＴＣ＝１の時に端末がSRS帯域幅内に用いるサブキャリアの区域を表し、
2011519196.tif 000040
【００９５】
はｋＴＣ＝０の時に、端末がSRS帯域幅内に用いるサブキャリアの区域を表す。
【発明を実施するための形態】
【００９６】
以下に添付図面と本発明の好適な実施例を参照しながら本発明を詳細に説明する。本発明はLTEシステムを例とするが、LTEシステムに限定されるものではなく、他のTDDシステムに適用してもよい。
【００９７】
第一実施例
端末（LTEシステムにおいてユーザー設備（UE）と称される）はSRS信号を送信すべき場合には、SRS信号に関連するコンフィギュレーション情報に従って、UpPTS内でSRS信号を送信するための資源のパラメーターを計算する必要がある。パラメーターは当該資源の周波数領域初期位置を含み、その後、当該資源で前記SRS信号が送信される。ここで、当該資源の周波数領域初期位置を計算するときに、最大のSRS帯域幅内の1つ目のサブキャリアのインデックスを確定することが必要である。
【００９８】
上記のSRS信号に関連するコンフィギュレーション情報は、基地局が端末からSRS信号を受信することで上りチャンネルを計測する必要の場合、SRS信号がUpPTS内に資源（割り当てのSRS帯域幅が周波数領域で連続に配布）を割り当て、端末に送信する当該割り当てた資源と関連するコンフィギュレーション情報、例えば、端末に配置されたSRS帯域幅が対応するツリー構造における層数を含む。端末がSRS関連のコンフィギュレーション情報を受信した後、計算されたSRS信号を送信するために用いた資源のパラメーターは時間領域、周波数領域及びシーケンス関連を用いるパラメーターを含む。本発明が注目するのは周波数領域でのパラメーターにおける最大のSRS帯域幅内の1つ目のサブキャリアの周波数領域での初期位置即ちそのインデックスである。基地局が割り当てたツリー構造における各層内のSRS帯域幅は全て最大のSRS帯域幅の所在の周波帯の範囲以内におき、且つ各層内のSRS帯域幅が最大のSRS帯域幅内の相対位置は端末が得られた相応のコンフィギュレーションパラメーターにより確定されることができる。よって、端末は当該最大のSRS帯域幅内の1つ目のサブキャリアのインデックスにより、SRS信号を送信するために用いた資源の周波数領域での初期位置を計算することができる。具体的な計算方法は標準における規定を参照することができる。
【００９９】
なお、説明を必要するのは、本文に用いる計算数式におけるパラメーターと、いくつかのセル固有（Cell-specific）のパラメーターとがセルの放送より得られてよいし、端末固有（UE-specific）のパラメーターが高層シナリングにて配置してよいし、またいくつかのパラメーターがほかのパラメーターにより計算して得られてよい。これらのパラメーターの獲得は関連標準を参照してよい。
【０１００】
本実施例において、端末は当該上りパイロットタイムスロット内の１つのまたは複数のランダムアクセスチャンネル、即ち、PRACHチャンネルの周波数領域位置を結び付けて、前記インデックスを確定し、PRACHチャンネルがシステム帯域幅内に低周波帯から高周波帯へマッピングする場合（この場合、UpPTS内の１つのまたは複数の連続のPRACHチャンネルが１つの全体としてはシステム帯域幅における下境界のサブキャリアを含むべきである）、システム帯域幅における上境界（周波数帯域が最高のサブキャリア）を最大のSRS帯域幅の終了位置とし、さらに最大のSRS帯域幅の開始位置を計算し、PRACHチャンネルがシステム帯域幅内に高周波帯から低周波帯へマッピングする場合（この場合、UpPTS内の１つのまたは複数の連続のPRACHチャンネルが１つの全体としてはシステム帯域幅における上境界のサブキャリアを含むすべきである）、システム周波帯における下境界（周波数帯域最低のサブキャリア）を最大のSRS帯域幅の開始位置とし、その後、最大のSRS帯域幅の開始位置と当該端末に配置されたバイアスパラメーターとを加算して、最大のSRS帯域幅内の1つ目のサブキャリアのインデックスを確定することができる。
【０１０１】
端末が最大のSRS帯域幅内の1つ目のサブキャリア即ちインデックス番号の最小のサブキャリアのインデックスを計算する数式ｋ０は以下の通りである。
【０１０２】
【数３１】
2011519196.tif 000041
【０１０３】
その中には、
【０１０４】
【数３２】
2011519196.tif 000042
【０１０５】
が上りシステム帯域幅が対応するRB数であり、ｍＳＲＳが最大のSRS帯域幅が対応する資源ブロックの数であり、
【０１０６】
【数３３】
2011519196.tif 000043
【０１０７】
が１つの資源ブロックが周波数領域に含んだサブキャリアの数であり、ｋＴＣ∈｛０，１｝は当該端末に配置されたバイアスパラメーター、即ち櫛状構造の起点であり、ｎｆが前記UpPTSの所在の無線フレームのシステムフレーム番号であり、ＮＳＰが１つの無線フレームにおける下りから上りまでの切替点の数であり、前記UpPTSが、無線フレームの1つ目のハーフフレームの場合、
【０１０８】
【数３４】
2011519196.tif 000044
【０１０９】
であり、前記UpPTSが、無線フレームの２つ目のハーフフレームの場合、
【０１１０】
【数３５】
2011519196.tif 000045
【０１１１】
である。
【０１１２】
また、数式におけるotherwiseは
【０１１３】
【数３６】
2011519196.tif 000046
【０１１４】
の場合を表す。
【０１１５】
端末は以下の方式により上記の最大のSRS帯域幅を確定することができる。
【０１１６】
本実施例において、それに配置されたSRS帯域幅がSRS帯域幅コンフィギュレーションツリー構造における一層目に位置する場合、以下の数式により前記最大のSRS帯域幅ｍＳＲＳを計算する。
【０１１７】
【数３７】
2011519196.tif 000047
【０１１８】
その中には、ＮＲＡがUpPTS上のランダムアクセスチャンネル、即ちPRACHチャンネルの数であり、α２，α３，α５が非負整数であり、ｍＳＲＳ，０がα２，α３，α５を選択することにより新たに計算した一層目のSRS帯域幅であり、ｍＳＲＳが
【０１１９】
【数３８】
2011519196.tif 000048
【０１２０】
の条件を満足する下に、α２，α３，α５を選択することにより得られた最大のSRS帯域幅であり、ＮＲＡが前記UpPTSに含まれるPRACHチャンネルの数である。
【０１２１】
それに配置されたSRS帯域幅がSRS帯域幅コンフィギュレーションツリー構造における一層目に位置しない場合、当該ツリー構造における一層目のSRS帯域幅ｍＳＲＳ，０を前記最大のSRS帯域幅ｍＳＲＳとし、即ちｍＳＲＳ＝ｍＳＲＳ，０。または、数式
【０１２２】
【数３９】
2011519196.tif 000049
【０１２３】
により最大のSRS帯域幅を計算してもよい。
【０１２４】
他の実施の形態において、上記の３つの最大のSRS帯域幅を計算する方法はそのいずれかの1つを選択してもよい。
【０１２５】
第二実施例
本実施例と第一実施例とはほぼ同じであり、区別は最大のSRS帯域幅内の1つ目のサブキャリアのインデックスの方式が異なることにある。本実施例において、端末は当該上りパイロットタイムスロット内の１つのまたは複数のランダムアクセスチャンネル即ちPRACHチャンネルの周波数領域位置を結合して前記インデックスを確定する場合、まず最大のSRS帯域幅を上りシステム帯域幅からPRACHチャンネルの占めた周波帯を差し引いた残りの周波帯の間に定位して、さらに最大のSRS帯域幅の開始位置を計算し、次に最大のSRS帯域幅の開始位置と当該端末に配置されたバイアスパラメーターとを加算して、前記インデックスを確定することができる。
【０１２６】
端末が最大のSRS帯域幅内の1つ目のサブキャリアのインデックスｋ０を計算する数式は以下の通りである。
【０１２７】
【数４０】
2011519196.tif 000050
【０１２８】
その中には、
【０１２９】
【数４１】
2011519196.tif 000051
【０１３０】
が上りシステム帯域幅が対応するRB数であり、ｍＳＲＳが最大のSRS帯域幅が対応する資源ブロックの数であり、ＮＲＡが前記UpPTSに含まれるPRACHチャンネルの数であり、
【０１３１】
【数４２】
2011519196.tif 000052
【０１３２】
が１つの資源ブロックが周波数領域に含んだサブキャリアの数であり、ｋＴＣ∈｛０，１｝が当該端末に配置されたバイアスパラメーターであり、ｎｆが前記UpPTSの所在の無線フレームのシステムフレーム番号であり、ＮＳＰが１つの無線フレームにおける下りから上りまでの切替点の数であり、前記UpPTSが、無線フレームの1つ目のハーフフレームの場合、
【０１３３】
【数４３】
2011519196.tif 000053
【０１３４】
であり、前記UpPTSが、無線フレームの２つ目のハーフフレームの場合、
【０１３５】
【数４４】
2011519196.tif 000054
【０１３６】
である。
【０１３７】
端末が上記の最大のSRS帯域幅を確定する方式は第一実施例と同じ方式を用いてもよい。
【０１３８】
第三実施例
本実施例と第一の実施の形態とはほぼ同じであり、区別は最大のSRS帯域幅内の1つ目のサブキャリアのインデックスの方式が異なることにある。本実施例において、端末は当該上りパイロットタイムスロット内の１つのまたは複数のランダムアクセスチャンネル即ちPRACHチャンネルの周波数領域位置を結合して前記インデックスを確定する場合、前記PRACHチャンネルがシステム帯域幅における下境界のサブキャリアを含む場合、前記PRACHチャンネルの後の1つ目のサブキャリアを最大のSRS帯域幅の開始位置とし、前記PRACHチャンネルがシステム帯域幅における上境界のサブキャリアを含む場合、システム帯域幅における下境界を最大のSRS帯域幅の開始位置とし、その後、最大のSRS帯域幅の開始位置と当該端末に配置されたバイアスパラメーターを加算して前記インデックスを確定することができる。
【０１３９】
端末が最大のSRS帯域幅内の1つ目のサブキャリアのインデックスｋ０を計算する数式は以下の通りである。
【０１４０】
【数４５】
2011519196.tif 000055
【０１４１】
その中には、ＮＲＡが前記UpPTSに含まれるPRACHチャンネルの数であり、
【０１４２】
【数４６】
2011519196.tif 000056
【０１４３】
が１つの資源ブロックが周波数領域に含んだサブキャリアの数であり、ｋＴＣ∈｛０，１｝が当該端末に配置されたバイアスパラメーターであり、ｎｆが前記UpPTSの所在の無線フレームのシステムフレーム番号であり、ＮＳＰが１つの無線フレームにおける下りから上りまでの切替点の数であり、前記UpPTSが、無線フレームの1つ目のハーフフレームの場合、
【０１４４】
【数４７】
2011519196.tif 000057
【０１４５】
であり、前記UpPTSが、無線フレームの２つ目のハーフフレームの場合、
【０１４６】
【数４８】
2011519196.tif 000058
【０１４７】
である。
【０１４８】
端末が上記の最大のSRS帯域幅を確定する方式は第一実施例と同じ方式を用いてもよい。
【０１４９】
以下、さらにいくつかの適用例を結合して説明する。
【０１５０】
適用例一
条件については
上りシステム帯域幅が対応するRB数は
【０１５１】
【数４９】
2011519196.tif 000059
【０１５２】
であり、
TDDシステムが用いた上り、下りタイムスロットコンフィギュレーションが1である場合、１つの無線フレーム内に下りから上りまでの切替点の数はＮＳＰ＝２である。
１つのUpPTS内のPRACHチャンネルの数はＮＲＡ＝１であり、
【０１５３】
【数５０】
2011519196.tif 000060
【０１５４】
を用いて最大のSRS帯域幅を計算する場合、ｍＳＲＳ＝１８（α２＝１，α３＝２，α５＝０）。
ｋＴＣ＝０。
【０１５５】
ここで第一実施例の方法を用いて最大のSRS帯域幅の開始位置を計算する。
【０１５６】
PRACHチャンネルがシステム帯域幅内に高周波帯から低周波帯へマッピングする場合（即ち、
【０１５７】
【数５１】
2011519196.tif 000061
【０１５８】
の場合）、最大のSRS帯域幅の開始位置はシステム周波帯における下境界に位置する。最大のSRS帯域幅周波数領域初期位置のサブキャリアインデックスはｋ０＝ｋＴＣ＝０である。
【０１５９】
PRACHチャンネルがシステム帯域幅内に低周波帯から高周波帯へマッピングする場合（即ち
【０１６０】
【数５２】
2011519196.tif 000062
【０１６１】
の場合）、最大のSRS帯域幅の終了位置はシステム帯域幅における上境界に位置する。最大のSRS帯域幅周波数領域初期位置のサブキャリアインデックスは
【０１６２】
【数５３】
2011519196.tif 000063
【０１６３】
である。
【０１６４】
図５Ａ、５Ｂに示すように、上記の２つの場合の最大のSRS帯域幅の位置をそれぞれに示す。
【０１６５】
適用例二
条件については
上りシステム帯域幅が対応するRB数は
【０１６６】
【数５４】
2011519196.tif 000064
【０１６７】
であり、
TDDシステムが用いた上り、下りタイムスロットコンフィギュレーションが1である場合、１つの無線フレーム内に下りから上りまでの切替点の数はＮＳＰ＝２である。
１つのUpPTS内のPRACHチャンネルの数はＮＲＡ＝１であり、
SRS帯域幅コンフィギュレーション4を用いて、表1を調べて最大のSRS帯域幅ｍＳＲＳ＝ｍＳＲＳ，０＝１６を得る。
ｋＴＣ＝１。
【０１６８】
ここで第一実施例の方法を用いて最大のSRS帯域幅の開始位置を計算する。
【０１６９】
PRACHチャンネルがシステム帯域幅内に高周波帯から低周波帯へマッピングする場合（即ち、
【０１７０】
【数５５】
2011519196.tif 000065
【０１７１】
の場合）、最大のSRS帯域幅の開始位置はシステム周波帯における下境界に位置する。最大のSRS帯域幅周波数領域初期位置のサブキャリアインデックスはｋ０＝ｋＴＣ＝１である。
【０１７２】
PRACHチャンネルがシステム帯域幅内に低周波帯から高周波帯へマッピングする場合（即ち、
【０１７３】
【数５６】
2011519196.tif 000066
【０１７４】
の場合）、最大のSRS帯域幅の終了位置はシステム帯域幅における上境界に位置する。最大のSRS帯域幅周波数領域初期位置のサブキャリアインデックスは
【０１７５】
【数５７】
2011519196.tif 000067
【０１７６】
である。
【０１７７】
図６Ａ、６Ｂに示すように、上記の２つの場合に最大のSRS帯域幅の位置をそれぞれに示す。
【０１７８】
適用例三
条件については
上りシステム帯域幅が対応するRB数は
【０１７９】
【数５８】
2011519196.tif 000068
【０１８０】
であり、
TDDシステムが用いた上り、下りタイムスロットコンフィギュレーションが1である場合、１つの無線フレーム内に下りから上りまでの切替点の数はＮＳＰ＝２である。
１つのUpPTS内のPRACHチャンネルの数はＮＲＡ＝１であり、
SRS帯域幅コンフィギュレーション4を用いて、表1を調べて最大のSRS帯域幅ｍＳＲＳ＝ｍＳＲＳ，０＝１６を得る。
ｋＴＣ＝１。
【０１８１】
ここで第二実施例の方法を用いて最大のSRS帯域幅の開始位置を計算する。即ち、最大のSRS帯域幅は上りシステム周波帯からPRACHチャンネルの占めた周波帯を差し引いた後の残りの周波帯の間に位置する。
【０１８２】
PRACHチャンネルがシステム帯域幅内に高周波帯から低周波帯へマッピングする場合（即ち、
【０１８３】
【数５９】
2011519196.tif 000069
【０１８４】
の場合）。最大のSRS帯域幅周波数領域初期位置のサブキャリアインデックスは、
【０１８５】
【数６０】
2011519196.tif 000070
【０１８６】
である。
【０１８７】
PRACHチャンネルがシステム帯域幅内に低周波帯から高周波帯へマッピングする場合（即ち、
【０１８８】
【数６１】
2011519196.tif 000071
【０１８９】
の場合）。最大のSRS帯域幅周波数領域初期位置のサブキャリアインデックスは、
【０１９０】
【数６２】
2011519196.tif 000072
【０１９１】
である。
【０１９２】
図７Ａ、７Ｂに示すように、上記の２つの場合の最大のSRS帯域幅の位置をそれぞれに示す。
【０１９３】
適用例四
条件については
上りシステム帯域幅が対応するRB数は
【０１９４】
【数６３】
2011519196.tif 000073
【０１９５】
であり、
TDDシステムが用いた上り、下りタイムスロットコンフィギュレーションが1である場合、１つの無線フレーム内に下りから上りまでの切替点の数はＮＳＰ＝２である。
１つのUpPTS内のPRACHチャンネルの数はＮＲＡ＝１であり、
SRS帯域幅コンフィギュレーション4を用いて、表1を調べて最大のSRS帯域幅ｍＳＲＳ＝ｍＳＲＳ，０＝１６を得る。
ｋＴＣ＝１。
【０１９６】
ここで第三実施例の方法を用いて最大のSRS帯域幅の開始位置を計算する。
【０１９７】
PRACHチャンネルがシステム帯域幅内に高周波帯から低周波帯へマッピングする場合（即ち、
【０１９８】
【数６４】
2011519196.tif 000074
【０１９９】
の場合）、最大のSRS帯域幅の開始位置はシステム周波帯における下境界に位置する。最大のSRS帯域幅周波数領域初期位置のサブキャリアインデックスはｋ０＝ｋＴＣ＝１である。
【０２００】
PRACHチャンネルがシステム帯域幅内に低周波帯から高周波帯へマッピングする場合（即ち、
【０２０１】
【数６５】
2011519196.tif 000075
【０２０２】
の場合）、最大のSRS帯域幅はPRACHが占めた周波帯に緊密におき、即ち最大のSRS帯域幅の開始位置はPRACHが占めた帯域幅における上境界と隣接する場合、最大のSRS帯域幅周波数領域初期位置のサブキャリアインデックスは
【０２０３】
【数６６】
2011519196.tif 000076
【０２０４】
である。
【０２０５】
図８Ａ、８Ｂに示すように、上記の2つの場合の最大のSRS帯域幅の位置をそれぞれ示す。
【０２０６】
適用例五
条件については
上りシステム帯域幅が対応するRB数は
【０２０７】
【数６７】
2011519196.tif 000077
【０２０８】
であり、
TDDシステムが用いた上り、下りタイムスロットコンフィギュレーションが1である場合、１つの無線フレーム内に下りから上りまでの切替点の数はＮＳＰ＝２である。
１つのUpPTS内のPRACHチャンネルの数はＮＲＡ＝１であり、
数式
【０２０９】
【数６８】
2011519196.tif 000078
【０２１０】
を用いて最大のSRS帯域幅ｍＳＲＳ＝１９を計算する。
ｋＴＣ＝１。
【０２１１】
ここで第一実施例の方法を用いて最大のSRS帯域幅の開始位置を計算する。
【０２１２】
PRACHチャンネルがシステム帯域幅内に高周波帯から低周波帯へマッピングする場合（即ち、
【０２１３】
【数６９】
2011519196.tif 000079
【０２１４】
の場合）、最大のSRS帯域幅の開始位置はシステム周波帯における下境界に位置する。最大のSRS帯域幅周波数領域初期位置のサブキャリアインデックスはｋ０＝ｋＴＣ＝１である。
【０２１５】
PRACHチャンネルがシステム帯域幅内に低周波帯から高周波帯へマッピングする場合（即ち、
【０２１６】
【数７０】
2011519196.tif 000080
【０２１７】
の場合）、最大のSRS帯域幅の終了位置はシステム帯域幅における上境界に位置する。最大のSRS帯域幅周波数領域初期位置のサブキャリアインデックスは
【０２１８】
【数７１】
2011519196.tif 000081
【０２１９】
である。
【０２２０】
図９Ａ、９Ｂに示すように、上記の2つの場合に最大のSRS帯域幅の位置をそれぞれに示す。
【０２２１】
上述は本発明の実施形態しかなく、本発明に限定されるものではなく、当業者にとっては、様々な変更と変化が得れ、その一部の変化の実施形態は発明内容に述べたが、本発明は発明内容に示した実施形態に限定ではない。特許請求の範囲の中で述べられている、当業者であれば本発明の精神及び範囲内で、補正、および同等物が、当業者には明らかとなろう。
【産業上の利用可能性】
【０２２２】
本発明はTDDシステムにおける上りチャンネルサウンディング基準信号の送信方法を提供することにあり、この方法により得られたUpPTS内の最大のSRS帯域幅の送信位置はUpPTS信号がPRACHチャンネルと干渉を生じなく、そしてもっと多い帯域幅がチャンネル計測の機会を得るようにすることができる。
【図１】
2011519196.tif 000105
【図２】
2011519196.tif 000106
【図３】
2011519196.tif 000107
【図４】
2011519196.tif 000108
【図５Ａ】
2011519196.tif 000109
【図５Ｂ】
2011519196.tif 000110
【図６Ａ】
2011519196.tif 000111
【図６Ｂ】
2011519196.tif 000112
【図７Ａ】
2011519196.tif 000113
【図７Ｂ】
2011519196.tif 000114
【図８Ａ】
2011519196.tif 000115
【図８Ｂ】
2011519196.tif 000116
【図９Ａ】
2011519196.tif 000117
【図９Ｂ】
2011519196.tif 000118
【国際調査報告】
2011519196.tif 000119
2011519196.tif 000120
2011519196.tif 000121
2011519196.tif 000122